(57)【要約】【課題】指針表示装置においてジャンパー配線を用いずに、各表示部から電極端子への結線を実現する技術を提供する。【解決手段】本開示による指針表示装置は、セグメント基板と、コモン基板と、セグメント基板とコモン基板との間に設けられた液晶層と、を有し、セグメント基板は、複数の第１種セグメント表示部を含む複数種のセグメント表示部を有し、複数の第１種セグメント表示部は、ｉ個（ｉは２以上の整数）単位で１つの配線でまとめられ、当該まとめられた各配線はさらに所定箇所で１つにまとめられ、第１セグメント端子に接続されており、第１種セグメント表示部とは別の各種セグメント表示部の配線は、第１種セグメント表示部の配線とは交差せずに、第１セグメント端子とは異なるセグメント端子まで引き出されている。【選択図】図３
2019074694.tif 000002
【特許請求の範囲】
【請求項１】
セグメント基板と、
コモン基板と、
前記セグメント基板と前記コモン基板との間に設けられた液晶層と、を有し、
前記セグメント基板は、複数の第１種セグメント表示部を含む複数種のセグメント表示部を有し、
前記複数の第１種セグメント表示部は、ｉ個（ｉは２以上の整数）単位で１つの配線でまとめられ、まとめられた各配線はさらに所定箇所で１つにまとめられ、第１セグメント端子に接続されており、
前記第１種セグメント表示部とは別の各種セグメント表示部の配線は、前記第１種セグメント表示部の配線とは交差せずに、前記第１セグメント端子とは異なるセグメント端子まで引き出されている、指針表示装置。
【請求項２】
請求項１において、
前記別の各種セグメント表示部は、種類別に、前記指針表示装置の表示デューティに応じた個数単位でそれぞれ１つの配線でまとめられ、
前記別の各種セグメント表示部の配線および前記第１種セグメント表示部の配線のそれぞれは、互いに交差せずに対応する各セグメント端子まで引き出されている、指針表示装置。
【請求項３】
請求項１または２において、
前記複数の第１種セグメント表示部は、前記セグメント基板において、前記別の各種セグメント表示部よりも外周に配設され、
前記まとめられた各配線は、前記セグメント基板の中央付近でまとめられている、指針表示装置。
【請求項４】
請求項１〜３の何れか１項において、
前記複数の第１種セグメント表示部の１つから引き出された配線が前記第１セグメント端子に接続されている、指針表示装置。
【請求項５】
請求項１〜４の何れか１項において、
前記指針表示装置は、アナログ指針表示によって数値を通知する装置であり、
前記第１種セグメント表示部は、前記セグメント基板の最外周部に配設された目盛表示であり、
前記別の各種セグメント表示部は、前記目盛表示を指す針表示である、指針表示装置。
【請求項６】
請求項５において、
前記指針表示装置は、アナログ表示液晶時計であり、
前記第１種セグメント表示部は、前記セグメント基板の最外周部に６０個配設された１秒単位の目盛表示であり、
前記別の各種セグメント表示部は、前記セグメント基板の中心部から外周に向かって放射状に設けられた針表示部であって、１秒毎に遷移する、６０個の秒針表示部と、６０個の短針表示部とを含み、
前記秒針表示部と前記短針表示部との組み合わせによって６０個の長針表示部が表される、指針表示装置。
【請求項７】
請求項６において、
前記まとめられた各配線は、前記別の各種セグメント表示部の間のスペースを通って前記セグメント基板の中央部でまとめられ、
前記別の各種セグメント表示部の各配線は、前記第１種セグメント表示部の前記まとめられた各配線が通るスペースとは異なる、前記別の各種セグメント表示部の間のスペースを通って前記セグメント基板の外周まで引き出されて対応する各セグメント端子に接続される、指針表示装置。
【発明の詳細な説明】
【技術分野】
【０００１】
本開示は、指針表示装置に関する。
【背景技術】
【０００２】
液晶表示装置は、例えば、第１ガラス基板やそれに対向する第２ガラス基板上に、セグメント表示部と引き回し配線やコモン表示部と引き回し配線を設け、第１ガラス基板と第２ガラス基板とを合わせることにより、液晶表示装置における各電極の結線を実現している。そして、各表示部を結線する際にジャンパー配線を用いることにより、限られたガラス基板上のスペースを活用している。例えば、特許文献１には、特定のコモン表示部からの引き回し配線同士を接続するためにジャンパー配線を配置する配線構成例が開示されている。このジャンパー配線により、表示部の引き回し配線同士の接続を確実に実現することができるようになる。
【先行技術文献】
【特許文献】
【０００３】
【特許文献１】特開２０１５−１２１５８４号公報
【発明の概要】
【発明が解決しようとする課題】
【０００４】
しかしながら、特許文献１に開示されるようなジャンパー配線を用いると、ジャンパー配線の端子が小さなドットとなって液晶表示装置の表示画面上に現れてきてしまい、液晶表示の外観が悪くなるという課題がある。ジャンパー配線が少なければドットとして現れるジャンパー配線の端子の数も少なくなるが、ジャンパー配線を少なくしようとすると、通常、表示面のデザインの制約が増えてしまう。また、ジャンパー配線によって電気抵抗が増えるため、電力損失も増加してしまうという課題も生じてしまう。
【０００５】
本開示はこのような状況に鑑みてなされたものであり、指針表示装置においてジャンパー配線を用いずに、各表示部から電極端子への結線を実現する技術を提供する。
【課題を解決するための手段】
【０００６】
上記課題を解決するために、本開示による指針表示装置は、セグメント基板と、コモン基板と、セグメント基板とコモン基板との間に設けられた液晶層と、を有し、セグメント基板は、複数の第１種セグメント表示部を含む複数種のセグメント表示部を有し、複数の第１種セグメント表示部は、ｉ個（ｉは２以上の整数）単位で１つの配線でまとめられ、当該まとめられた各配線はさらに所定箇所で１つにまとめられ、第１セグメント端子に接続されており、第１種セグメント表示部とは別の各種セグメント表示部の配線は、第１種セグメント表示部の配線とは交差せずに、第１セグメント端子とは異なるセグメント端子まで引き出されている。
【０００７】
上記指針表示装置において、第１種セグメントと別の各種セグメント表示部は、種類別に、指針表示装置の表示デューティに応じた個数単位でそれぞれ１つの配線でまとめられ、別の各種セグメント表示部の配線および第１種セグメント表示部の配線のそれぞれは、互いに交差せずに対応する各セグメント端子まで引き出されている。
【０００８】
上記指針表示装置において、複数の第１種セグメント表示部は、セグメント基板において、別の各種セグメント表示部よりも外周に配設され、まとめられた各配線は、セグメント基板の中央付近でまとめられている。
上記指針表示装置において、複数の第１種セグメント表示部の１つから引き出された配線が第１セグメント端子に接続されている。
【０００９】
本開示の指針表示装置は、アナログ指針表示によって数値を通知する装置であり、第１種セグメント表示部は、セグメント基板の最外周部に配設された目盛表示であり、別の各種セグメント表示部は、目盛表示を指す針表示である。例えば、当該指針表示装置は、アナログ表示液晶時計であり、第１種セグメント表示部は、セグメント基板の最外周部に６０個配設された１秒単位の目盛表示であり、別の各種セグメント表示部は、セグメント基板の中心部から外周に向かって放射状に設けられた針表示部であって、１秒毎に遷移する、６０個の秒針表示部と、６０個の短針表示部とを含み、秒針表示部と短針表示部との組み合わせによって６０個の長針表示部が表される。また、この場合、まとめられた各配線は、別の各種セグメント表示部の間のスペースを通ってセグメント基板の中央部でまとめられ、別の各種セグメント表示部の各配線は、第１種セグメント表示部のまとめられた各配線が通るスペースとは異なる、別の各種セグメント表示部の間のスペースを通ってセグメント基板の外周まで引き出されて対応する各セグメント端子に接続される。
【００１０】
本開示に関連する更なる特徴は、本明細書の記述、添付図面から明らかになる。また、本開示の態様は、要素及び多様な要素の組み合わせ及び以降の詳細な記述と添付される特許請求の範囲の様態により達成され実現される。
本明細書の記述は典型的な例示に過ぎず、本開示の特許請求の範囲又は適用例を如何なる意味においても限定するものではないことを理解する必要がある。
【発明の効果】
【００１１】
本開示によれば、指針表示装置においてジャンパー配線を用いずに、各表示部から電極端子への結線を実現することができるようになる。
【図面の簡単な説明】
【００１２】
【図１】図１は、本開示の実施形態によるアナログ表示ＬＣＤ時計１の外観を示す図である。図１Ａはアナログ表示ＬＣＤ時計１の正面図（文字盤）であり、図１Ｂはアナログ表示ＬＣＤ時計１の側面図である。
【図２】図２は、アナログ表示ＬＣＤ時計１の時計本体１０の内部の概略構成を示す図である。図２Ａは、時計本体１０の断面構成を示し、図２Ｂは、文字盤１１の下層に配置される導光板１５の構成を示している。
【図３】本実施形態によるアナログ表示ＬＣＤ時計１のセグメントガラス基板（ＳＥＧ）１２の配線（基本構成）を示す図である。
【図４】本実施形態の別形態の構成によるアナログ表示ＬＣＤ時計１のセグメントガラス基板（ＳＥＧ）１２の配線とコモンガラス基板（ＣＯＭ）１４の配線例を示す図である。図４Ａはセグメントガラス基板（ＳＥＧ）１２の１／３デューティの場合の配線構成例を示す図であり、図４Ｂはコモンガラス基板（ＣＯＭ）１４の配線構成例を示す図である。
【図５】図４Ａのセグメントガラス基板（ＳＥＧ）１２の一部の拡大図である。
【発明を実施するための形態】
【００１３】
本開示の実施形態は、アナログ表示ＬＣＤ時計（信号処理はデジタルで実行されるが、ＬＣＤによって時刻表示をアナログ時計のように行う時計をいう）におけるセグメントガラス基板の配線に関する。具体的には、小さいスペースを活用するために従来から用いられているジャンパー配線を用いずにセグメントガラス基板における配線を実現している。ここでは、アナログ表示ＬＣＤ時計を例として本実施形態について説明するが、本実施形態の技術的思想は、アナログ表示ＬＣＤ重量計、アナログ表示ＬＣＤ温湿度計、電子チューナ、自動車のスピードメータなどにも適用可能である。なお、アナログ表示ＬＣＤ時計、アナログ表示ＬＣＤ重量計、アナログ表示ＬＣＤ温湿度計、電子チューナ、自動車のスピードメータなどを総称して指針表示装置と呼ぶこともできる。
【００１４】
以下、添付図面を参照して本開示の実施形態について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１５】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１６】
＜アナログ表示ＬＣＤ時計の外観＞
図１は、本開示の実施形態によるアナログ表示ＬＣＤ時計１の外観を示す図である。図１Ａはアナログ表示ＬＣＤ時計１の正面図（文字盤）であり、図１Ｂはアナログ表示ＬＣＤ時計１の側面図である。
【００１７】
図１Ｂからも分かるように、アナログ表示ＬＣＤ時計１は、時計本体１０と、時計本体１０が安定的に載置される台座部２０と、を備えている。アナログ表示ＬＣＤ時計１の文字盤１１は、数字表示部１１１と、秒目盛表示部１１２と、短針表示部１１３と、長針表示部１１４と、秒針表示部１１５と、日付表示部１１６と、によって構成される（図１Ａ参照）。文字盤１１は、複数の領域に分割され、各領域に対して異なる色が割り当てられる。各領域に対して色を割り当てるために、文字盤１１の下に導光板１５（図２参照）を配置し、導光板１５の真中には発光ブロック１６が設置されている。発光ブロック１６は、複数のＬＥＤブロックを備え、各ＬＥＤブロックは異なる色の光を射出するように構成されている。例えば、隣り合う２つ領域を照らすＬＥＤブロックが赤色光と黄色光をそれぞれ射出する場合、当該２つの領域の境界は、赤色と黄色が混ざってオレンジ色で光ることになる。
【００１８】
＜アナログ表示ＬＣＤ時計の本体の内部の概略構成＞
図２は、アナログ表示ＬＣＤ時計１の時計本体１０の内部の概略構成を示す図である。図２Ａは、時計本体１０の断面構成を示している。図２Ｂは、文字盤１１の下層に配置される導光板１５の構成を示している。
【００１９】
図２Ａを参照すると、時計本体１０は、時計本体筐体内部に、導光板１５と、当該導光板１５の上に設けられたコモンガラス基板（ＣＯＭ）１４と、当該コモンガラス基板（ＣＯＭ）１４とペアをなすセグメントガラス基板（ＳＥＧ）１２と、コモンガラス基板（ＣＯＭ）１４とセグメントガラス基板（ＳＥＧ）１２との間に設けられた液晶層１３と、セグメントガラス基板（ＳＥＧ）１２の上に設けられた文字盤１１と、を備えている。なお、文字盤１１は、筐体外部に露出していてもよいし、表示面が透明板で構成された筐体の内部に収納され、筐体の透明板を介して各種表示が視認可能になるように構成してもよい。
【００２０】
図２Ｂに示されるように、導光板１５は、その略中央部に発光ブロック１６を備えている。発光ブロック１６は、例えば、４つのＬＥＤブロック１６１〜１６４で構成されている。ＬＥＤブロック１６１〜１６４は、それぞれ異なる色の光を射出するように構成されている。例えば、ＬＥＤブロック１６１は赤色光を、ＬＥＤブロック１６２は黄色光を、ＬＥＤブロック１６３は緑色光を、ＬＥＤブロック１６４は青色光を、それぞれ射出する。各ＬＥＤブロック１６１〜１６４は、ＲＧＢの光を発するＬＥＤとＩＣとを有し、当該ＩＣで各ＬＥＤのパルスデューティを変更することにより（ＰＷＭ制御）所望の異なる色を射出する。各ＬＥＤブロック１６１〜１６４から射出された光は、導光板１５の中心付近から外周に向かって放射状に進行する。従って、隣り合うＬＥＤブロックから射出された光が混ざり合う領域が存在し、その領域では異なる色の光が混ざり合うため、導光板１５は、射出された光の色および射出された光が混ざり合って生成される光の色で光ることになる。そして、導光板１５の上に設けられた、セグメントガラス基板（ＳＥＧ）１２、液晶層１３、およびコモンガラス基板（ＣＯＭ）１４によって文字盤１１上の各表示部１１１〜１１６の所望の箇所における光の透過および不透過を適宜制御する。光が透過するように制御された箇所は、導光板１５からの光を透過させる。以上のようにアナログ表示ＬＣＤ時計１の時計本体１０を構成することにより、デザイン性に優れた時計の文字盤１１を提供することができる。
【００２１】
＜セグメントガラス基板の配線：基本構成＞
従来のアナログ表示ＬＣＤ時計では、１つの外周目盛に１つのＬＣＤ駆動セグメント出力（例えば、図３に示すＳＥＧ１）を割り当て、外周エリアで各目盛から引き出された線を１つのセグメント出力に接続されている。これにより、当該セグメント出力に電圧を印加すれば、配置された全ての外周目盛の部分を透過状態にすることができるようになる。しかし、上述のように、外周エリアで各目盛からの引き出し線をまとめると、文字盤１１の他の部分（例えば、針表示部分）に別のＬＣＤ駆動セグメントを割り当てる際にジャンパー配線（ジャンプ処理部）が必要となる。このジャンパー配線を用いると、ジャンパー配線の端子が小さなドットとなって液晶表示装置の表示画面上に現れてきてしまい、液晶表示の外観が悪くなってしまう。また、ジャンパー配線によって電気抵抗が増えるため、電力損失も増加してしまう。そこで、本実施形態では、ジャンパー配線を用いずに、特定部分（例えば、各外周目盛）に１つのセグメントを割り当てるための提案を行っている。
【００２２】
図３は、本実施形態によるアナログ表示ＬＣＤ時計１のセグメントガラス基板（ＳＥＧ）１２の配線（基本構成）を示す図である。
【００２３】
図３に示すように、本実施形態によるセグメントガラス基板（ＳＥＧ）１２（基本構成）は、例えば、最外周に設けられた複数の目盛ドット表示部（例えば、秒に対応する６０個の目盛ドット表示部）３１_１〜３１_６０と、複数の秒針表示部（例えば、６０個の秒針表示部）３２_１〜３２_６０と、複数の短針表示部（例えば、６０個の短針表示部）３３_１〜３３_６０（１つの秒針表示部と１つの短針表示部とにより長針表示が構成される）と、目盛ドット表示用配線３４_１〜３４_３０と、複数の目盛ドット表示部に接続されたセグメント端子（例えば、ＳＥＧ１）３６と、図示しない複数の針表示用配線と、によって構成される。なお、各針表示部の間には一配線を通す程度の隙間が形成されている。また、複数の秒針表示部３２_１〜３２_６０と複数の短針表示３３_１〜３３_６０（合わせてアナログ表示部、あるいは針表示部ということもできる）に関する配線（針表示部用配線）は、目盛ドット表示用配線３４_１〜３４_３０が配線されていない領域を用いて設定される。
【００２４】
図３に示すように、セグメントガラス基板（ＳＥＧ）１２の配線の基本構成では、最外周に設けられた複数の目盛ドット表示部（例えば、秒に対応する６０個の目盛ドット表示部）３１_１〜３１_６０における隣り合う２つの目盛ドット表示部によってペアが構成される。図３の基本構成の例では、３０個のペアが形成される。そして、それぞれのペア（目盛ドット表示部３１_１と３１_２のペア〜目盛ドット表示部３１_５９と３１_６０のペア）は、目盛ドット表示用配線によって接続される。例えば、目盛ドット表示部３１_１と３１_２のペアは、目盛ドット表示用配線３４_１によって繋がれる。繋がれた各ペアから引き出された目盛ドット表示結線用配線３７_１〜３７_３０は、セグメントガラス基板（ＳＥＧ）１２の中央部に集められ、中央結合部３５において１つにまとめられる。そして、６０個の目盛ドット表示部３１_１〜３１_６０のうち１つとセグメント端子（例えば、ＳＥＧ１）３６とが接続されている。セグメント端子（ＳＥＧ１）３６に電圧が印加されると、コモンガラス基板（ＣＯＭ）１４（図３には示されていない）におけるＣコモン端子（例えば、ＣＯＭ１〜３：別形態であるが図４参照）に対する電圧印加により、目盛ドット表示部の領域における液晶層１３が透過状態となり、６０個全ての目盛ドット表示部３１_１〜３１_６０が点灯することなる（正確には、発光ブロック１６から発せられた光が目盛ドット表示部を透過する）。以上のような配線をすることにより、１セグメント出力のみで最外周の複数の目盛ドット表示部を点灯させることできるようになる。また、文字盤１１内部（文字盤表示内部）の針表示部の配線に対してジャンプ配線処理をする必要がなくなるため、文字盤１１内の小さなドット表示の出現を排除することにより、文字盤１１の外観表示を改善することが可能となる。
【００２５】
＜セグメントガラス基板の配線：別形態による構成＞
図４は、本実施形態の別形態の構成によるアナログ表示ＬＣＤ時計１のセグメントガラス基板（ＳＥＧ）１２の配線とコモンガラス基板（ＣＯＭ）１４の配線例を示す図である。図４Ａがセグメントガラス基板（ＳＥＧ）１２の配線構成例を示す図であり、図４Ｂがコモンガラス基板（ＣＯＭ）１４の配線構成例を示す図である。また、図５は、図４Ａのセグメントガラス基板（ＳＥＧ）１２の一部の拡大図である。当該構成例は、いわゆる１／３デューティを実現する構成である。なお、デューティの値は、適宜変更可能であり、例えば、１／２デューティ、１／４デューティ、・・・と任意の値にすることが可能である。ただし、デューティを増やすと分割数が増えるため、デューティ増加に伴いコントラストが低下し、見た目が徐々に暗くなるという現象が見られることになる。
【００２６】
基本構成（図３）とは異なり、当該別形態によるセグメントガラス基板（ＳＥＧ）１２においては、６個の目盛ドット表示部（例えば、目盛ドット表示部４１_１〜４１_６）を一組として１つの目盛ドット表示用配線４４_１〜４４_１０によって繋がれ、そこから引き出された目盛ドット表示結線用配線４７_１〜４７_１０によってセグメントガラス基板（ＳＥＧ）１２の中央部に集められ、中央結合部４５において１つにまとめられる（図４Ａおよび図５）。そして、６０個の目盛ドット表示部４１_１〜４１_６０のうち１つとセグメント端子（例えば、ＳＥＧ１）４６とが接続されている。図４は、１／３デューティを実現する構成例であるため６個の目盛ドット表示部を一組としているが、デューティが異なれば一組を構成する（１つにまとめられる）目盛ドット表示部の個数も変わってくる。
【００２７】
また、当該別形態の構成では、図５に示されるように、３個の秒針表示部４２_７〜４２_９が一つの秒針表示用配線４８_２でまとめられ、１つのセグメント端子（例えば、ＳＥＧ３４）に接続されている。また、３個の短針表示部４３_７〜４３_９が一つの短針表示用配線４９_２でまとめられ、１つのセグメント端子であって、秒針表示部４２_７〜４２_９が接続された端子とは別のセグメント端子（例えば、ＳＥＧ３５）に接続されている。さらに、図５を見ると、セグメントガラス基板（ＳＥＧ）１２において、秒針表示用配線４８_２および短針表示用配線４９_２が対応するセグメント端子まで引き出される経路は、目盛ドット表示用配線４７_２が引き出される経路とは異なっていることが分かる。このように、セグメントガラス基板（ＳＥＧ）１２上の空いたスペースを効率的に利用し、各種配線を設けるようにしているため、ジャンプ配線が不要となる。なお、本実施形態では、一例として、秒針表示用配線は、秒針表示用配線４８_１〜４８_２０の２０個設けられ、短針表示用配線は、短針表示用配線４９_１〜４９_２０の２０個設けられている。
【００２８】
一方、図４Ｂに示されるコモンガラス基板（ＣＯＭ）１４においては、複数の領域に分割されて、各表示部に関する配線が設置されている。例えば、領域１においては、目盛ドット表示用配線５１_１は針表示用配線（秒針表示用配線と短針表示用配線とが共通配線）５４_１と接続され、配線の一方が領域２の目盛ドット表示用配線（領域２では、秒針表示用配線と短針表示用配線とが共通配線となっていない）５１_２につながれ、もう一方が領域１０の針表示用配線（秒針表示用配線と短針表示用配線とが共通配線）５４_１０および目盛ドット表示用配線５１_１０につながれて、最終的にはコモン端子（ＣＯＭ１）５５_１に接続されている。また、領域１における針表示用配線（秒針表示用配線と短針表示用配線とが共通配線）５３_１は、最外周部のスペースを引き回されつつ、領域１０における針表示用配線５３_１０と領域９における針表示用配線５３_９とつながれ、コモン端子（ＣＯＭ２）５５_１に接続されている。さらに、領域１における針表示用配線５２_１は、最外周部のスペースを引き回されつつ、領域１０における針表示用配線５３_１０とつながれ、領域９を経由して最終的にコモン端子（ＣＯＭ３）５５_３に接続されている。なお、他の領域の各配線も同様の考えに基づいて設けられているため、詳細な説明は省略する。
【００２９】
前述のように、図４Ａで示されるセグメントガラス基板（ＳＥＧ）１２と図４Ｂで示されるコモンガラス基板（ＣＯＭ）１４とは、それらの間に設けられた液晶層１３を介して重ね合される。セグメントガラス基板（ＳＥＧ）１２の各表示部に対応するセグメント端子とコモンガラス基板（ＣＯＭ）１４の各表示部に対応するコモン端子の両方に電圧が印加されると、対応する表示部の液晶層１３は透過状態となり、何れかの端子に電圧が印加されていないときには、対応する液晶層１３は非透過状態となる。本実施形態の場合、例えば、セグメントガラス基板（ＳＥＧ）１２およびコモンガラス基板（ＣＯＭ）１４においては、目盛ドット表示部４１_１〜４１_６０の部分にはセグメント端子（ＳＥＧ１）４６およびコモン端子（ＣＯＭ１端子５５_１および他のＣＯＭ１端子）を介して電圧が常に印加されるため、目盛ドット表示部に対応する液晶層１３の部分は常に透過状態となっている。その他、各秒針表示部（例えば、６０個の秒針表示部）の部分や各短針表示部（例えば、６０個の短針表示部）に対応する液晶層１３の部分を透過・非透過状態は、各コモン端子（各ＣＯＭ１〜ＣＯＭ３）および各セグメント端子（ＳＥＧ２〜３５：ＳＥＧ１は目盛ドット表示部に用いられる）への電圧の印加によって制御される。また、長針表示は、１つの秒針表示部と１つの短針表示部とにより構成されるため、各秒針表示部に対する液晶層１３の透過・不透過状態の制御と各短針表示部に対する液晶層１３の透過・不透過状態の制御を行うことによって表現することができる。
【００３０】
＜まとめ＞
本開示による技術的思想は、上述のアナログ表示ＬＣＤ時計だけでなく、アナログ表示ＬＣＤ重量計やアナログ表示ＬＣＤ温湿時計などの指針表示装置全般に適用することができる。
【００３１】
また、上述の実施形態では、セグメントガラス基板においてジャンパー配線（ジャンプ処理部）を用いずに各セグメント表示部の配線を実現する例について説明したが、当該技術的思想は、セグメントガラス基板だけでなく、コモンガラス基板における配線にも同様に適用することができる。
【００３２】
以上のように、ジャンプ処理部を用いずにセグメントガラス基板および／またはコモンガラス基板における配線を実現するので、指針表示面（例えば、時計にける文字盤）にいてジャンプ処理部を起因とする、外観悪化の原因となる不要なドット表示の発生を防止することができるようになる。
【符号の説明】
【００３３】
１  アナログ表示ＬＣＤ時計
１０  時計本体
１１  文字盤
１２  セグメントガラス基板（ＳＥＧ）
１３  液晶層
１４  コモンガラス基板（ＣＯＭ）
１５  導光板
２０  台座部
３１_１〜３１_６０、４１_１〜４１_６０  目盛ドット表示部
３２_１〜３２_６０、４２_１〜４２_６０  秒針表示部
３３_１〜３３_６０、４３_１〜４３_６０  短針表示部
３４_１〜３４_３０、４４_１〜４４_１０、５１_１〜５１_１０  目盛ドット表示用配線
３５、４５  中央結合部
３６、４６  セグメント端子
３７_１〜３７_３０、４７_１〜４７_１０  目盛ドット表示結線用配線
４８_１〜４８_２０  秒針表示用配線
４９_１〜４９_２０  短針表示用配線
５２_１〜５２_１０、５３_１〜５３_１０、５４_１〜５４_１０  針表示用配線
５５_１〜５５_３  コモン端子（ＣＯＭ１〜ＣＯＭ３）
【図１】
2019074694.tif 000003
【図２】
2019074694.tif 000004
【図３】
2019074694.tif 000005
【図４】
2019074694.tif 000006
【図５】
2019074694.tif 000007